(57)【要約】【課題】  収容室内における冷却効率を高めた上で、結露水によって収容室内が不衛生な状態になるのを防止することができる冷温庫を提供する。【解決手段】  収容物を収容する収容室Ｒを備え、該収容室Ｒを形成する壁部の少なくとも一部１１０ｄが、起立した下壁部１１３と、該下壁部１１３よりも収容室Ｒ内側に位置し、且つ下壁部１１３よりも上方に位置する起立した上壁部１１４と、前記下壁部１１３の上端から延出し、上壁部１１４の下端に接続された接続壁部１１５とで構成され、前記上壁部１１４の背面側に、該上壁部１１４を介して収容室Ｒ内を冷却する熱交換手段３が内装されてなる冷温庫であって、上壁部１１４の下端部、及び接続壁部１１５の下方に向く接続面１１５ａに対向して配置され、前記上壁部１１４を伝って流れ落ちる結露水を受ける受皿４を備えてなることを特徴とする。【選択図】図２
2005180857.tif 000002
【特許請求の範囲】
【請求項１】
収容物を収容する収容室を備え、該収容室を形成する壁部の少なくとも一部が、起立した下壁部と、該下壁部よりも収容室内側に位置し、且つ下壁部よりも上方に位置する起立した上壁部と、前記下壁部の上端から延出し、上壁部の下端に接続された接続壁部とで構成され、前記上壁部の背面側に、該上壁部を介して収容室内を冷却する熱交換手段が内装されてなる冷温庫であって、上壁部の下端部、及び接続壁部の下方に向く接続面に対向して配置され、前記上壁部を伝って流れ落ちる結露水を受ける受皿を備えてなることを特徴とする冷温庫。
【請求項２】
前記接続壁部、又は受皿の何れか一方が、前記接続面を伝う結露水の下壁部側への流動を阻止するとともに、前記結露水を前記受皿に誘導可能に構成されてなる請求項１記載の冷温庫。
【請求項３】
前記接続面の少なくとも一部が、下壁部側から上壁部側に向けて先下りした傾斜面で構成され、該傾斜面における上壁部側の端縁が、前記接続壁部の延出する方向に対して交差する方向に延びる稜線を構成してなる請求項２記載の冷温庫。
【請求項４】
前記受皿に向けて突出し、且つ前記接続壁部の延出する方向に対して交差する方向に延びる凸条が前記接続面に設けられてなる請求項２記載の冷温庫。
【請求項５】
前記受皿は、底部と、該底部の外周縁部から上方に向けて延出する枠部とで構成され、該底部及び枠部が、結露水を溜める受水領域を形成するとともに、前記底部に延設された少なくとも一つ以上の区画壁で前記受水領域が仕切られて二つ以上の分割受水領域が形成されてなり、前記区画壁には、隣接する分割受水領域同士を連通させる連通部が形成されてなる請求項１乃至４の何れかに記載の冷温庫。
【請求項６】
前記熱交換手段は、前記上壁部を介して収容室内を加熱可能に構成され、収容室に対する冷却、及び加熱が切り替え可能に構成されてなる請求項１乃至５の何れかに記載の冷温庫。
【発明の詳細な説明】
【技術分野】
【０００１】
本発明は、飲料や食品等の収容物を冷却する冷温庫に関する。より詳しくは、使用者の要求に応じて室内や自動車の車内等に据え付け可能なポータブル式の冷温庫に関する。
【背景技術】
【０００２】
近年、飲料や食品等を冷却する冷温庫として、室内や自動車の車内等に据え付け可能なポータブル式の冷温庫が提供されつつある。
【０００３】
かかる冷温庫は、前面が開口した収容室を形成する本体と、前記収容室の開口を閉塞、及び開放すべく、本体に枢着された扉体と、前記収容室内を冷却する熱交換手段とを備えており、前記開口を扉体で閉塞することで、前記収容室内が気密に保持することでき、内部の冷気が外部に放出されないようになっている。
【０００４】
かかる冷温庫は、種々の場所に据え付けることができるように、外形を構成する背面部、側面部、及び天面部が略フラットに形成されている。また、該冷温庫は、前記収容室を形成する壁部の一部（例えば、奥側の壁部）が、起立した下壁部と、該下壁部よりも収容室内側に位置し、且つ下壁部よりも上方に位置する起立した上壁部と、前記下壁部の上端から延出し、上壁部の下端に接続された接続壁部とで構成されており、上壁部の背面側、すなわち、前記上壁部と前記背面部との間に、上壁部を介して収容室を冷却する熱交換手段が内装されている。
【０００５】
このようにすることで、当該冷温庫は、収容室内での冷気の流れが上壁面近傍から下方に向くようにして収容室内の冷却効率を高めるとともに、背面部のフラット性を担保するように構成されている。
【発明の開示】
【発明が解決しようとする課題】
【０００６】
しかしながら、前述の如く、前記熱交換手段が、上壁部の背面側に内装されているため、該熱交換手段で収容室内を冷却すると、上壁部に結露が生じる場合がある。そうすると、上壁部に結露水が付着し、該結露水が上壁部を伝って垂れ落ち、収容室内に収容した収容物や、収容室を形成する床部等が濡れてしまうといった問題があった。このため、収容室内が食品衛生上の好ましくない状態（不衛生な状態）になる場合があった。
【０００７】
そこで、本発明は、斯かる実情に鑑み、収容室内における冷却効率を高めた上で、結露水によって収容室内が不衛生な状態になるのを防止することができる冷温庫を提供することを課題とする。
【課題を解決するための手段】
【０００８】
本発明にかかる冷温庫は、収容物を収容する収容室を備え、該収容室を形成する壁部の少なくとも一部が、起立した下壁部と、該下壁部よりも収容室内側に位置し、且つ下壁部よりも上方に位置する起立した上壁部と、前記下壁部の上端から延出し、上壁部の下端に接続された接続壁部とで構成され、前記上壁部の背面側に、該上壁部を介して収容室内を冷却する熱交換手段が内装されてなる冷温庫であって、上壁部の下端部、及び接続壁部の下方に向く接続面に対向して配置され、前記上壁部を伝って流れ落ちる結露水を受ける受皿を備えてなることを特徴とする。ここで「起立」とは、当該冷温庫を設置した状態で起立した態様をいい、垂直状態にあることは勿論のこと、上端側が下端側に比して水平方向の何れか一方向に変位して傾斜した状態を含む概念である。
【０００９】
上記構成の冷温庫によれば、上壁部の背面側に、該上壁部を介して収容室内を冷却する熱交換手段が内装されているので、上壁部を介して伝達される冷気は、収容室内において上方領域から下方領域に流れることになり、収容室内を効率よく冷却することができる。このように熱交換手段を駆動して収容室内を冷却した際に、収容室内と上壁部との温度差によって結露が生じ、上壁部に結露水が付着する場合がある。そうすると、上壁部に付着した結露水は、上壁部を伝って接続壁部との接続部分（上壁部の下端部）に到達した後に垂れ落ちることになるが、上壁部の下端部、及び前記接続壁部の下方に向く接続面に対向するように受皿が配設されているので、該結露水が上壁部の下端、又は接続壁部から垂れ落ちても、該結露水は、受皿に受け止められることになる。これにより、収容室に収容した収容物等が結露水で濡れて収容室内が不衛生な状態になるのを確実に防止することができる。
【００１０】
本発明の一態様として、前記接続壁部、又は受皿の何れか一方が、前記接続面を伝う結露水の下壁部側への流動を阻止するとともに、前記結露水を前記受皿に誘導可能に構成することが好ましい。このようにすれば、結露水が上壁部、又は接続壁部から垂れ落ちることなく接続壁部を伝って下壁部に向けて流れようとしても、その流れが阻止された上で受皿に向けて誘導され、受皿に溜まる（受け止められる）ことになる。
【００１１】
具体的には、前記接続面の少なくとも一部が、下壁部側から上壁部側に向けて先下りした傾斜面で構成され、該傾斜面における上壁部側の端縁が、前記接続壁部の延出する方向に対して交差する方向に延びる稜線を構成するようにしてもよい。なお、ここで「傾斜面」とは、下壁部側から上壁部側に向けて先下りに傾斜した平面は勿論のこと、下壁部側から上壁部側に向けて先下りした凹状又は凸状の円弧面等の曲面を含む概念であり、「稜線」とは、平面と平面との接続線は勿論のこと、平面と曲面との接続線や、曲面と曲面との接続線等を含む概念である。
【００１２】
このようにすれば、傾斜面の端縁によって形成された稜線が、接続面における下壁部との接続側よりも下方に位置するので、結露水は、稜線、又は稜線近傍まで流れることになるが、稜線から下壁部側への流動が阻止されることになる。そして、下壁部側への流動が阻止された結露水は、稜線、又は稜線近傍から下方に垂れ落ち、上壁部の下端部、及び接続壁部と対向して配置された受皿に受け止められることになる。すなわち、上壁部から接続壁部に到達した結露水は、稜線によって受皿に向けて落ちるように誘導され、下壁部への流動が阻止されることになり、結露水が収容物上に落下して、収容室内（収容物）が不衛生な状態になるのを防止することができる。
【００１３】
また、前記受皿に向けて突出し、且つ前記接続壁部の延出する方向に対して交差する方向に延びる凸条が前記接続面に設けられてなる構成を採用してもよい。このようにしても、凸条の先端が接続面よりも下方に位置するので、接続面を伝う結露水は、凸条の存在によって下壁部側への流動が阻止されることになる。そして、下壁部側への流動が阻止された結露水は、凸条を伝って該凸条の先端部から垂れ落ち、上壁部の下端部、及び接続壁部と対向して配置された受皿に受け止められることになる。すなわち、上壁部から接続壁部に到達した結露水は、凸条によって受皿に向けて落ちるように誘導され、下壁部への流動が阻止されることになり、結露水が収容物上に落下して、収容室内（収容物）が不衛生な状態になるのを防止することができる。
【００１４】
本発明の他態様として、前記受皿は、底部と、該底部の外周縁部から上方に向けて延出する枠部とで構成され、該底部及び枠部が、結露水を溜める受水領域を形成するとともに、前記底部に延設された少なくとも一つ以上の区画壁で前記受水領域が仕切られて二つ以上の分割受水領域が形成されてなり、前記区画壁には、隣接する分割受水領域同士を連通させる連通部が形成されてなることが好ましい。
【００１５】
このようにすれば、受皿に受け止められて受水領域に溜まった結露水は、前記連通部を介して各分割受水領域に略均一に分配された状態となり、受皿を取り外すに際し、該受皿が傾いても、溜まった結露水が零れ出るのを極力抑えることができる。つまり、受水領域を区画壁で仕切って分割することで、分割された各受水領域内に貯留される結露水の貯水量が、受水領域全体の貯水量よりも少ないため（受皿に溜まった結露水の一部であるため）、枠部の高さを所定の高さに設定することを前提すれば、結露水が零れ出る受皿の限界傾き量が区画壁を設けない場合に比して大きくなる。これにより、結露水を廃棄すべく受皿を取り外す際に、受皿から結露水が零れるのを極力抑えることができる。
【００１６】
また、前記熱交換手段は、前記上壁部を介して収容室内を加熱可能に構成され、収容室に対する冷却、及び加熱が切り替え可能に構成されてなることが好ましい。このようにすれば、使用者の要求に応じて収容室に収容した収容物を冷却したり、加熱したりすることができる。
【発明の効果】
【００１７】
以上のように、本発明の冷温庫によれば、収容室内における冷却効率を高めた上で、結露水によって収容室内が不衛生な状態になるのを防止することができるという優れた効果を奏し得る。
【発明を実施するための最良の形態】
【００１８】
以下、本発明の一実施形態にかかる冷温庫について、添付図面を参照しつつ説明する。図１は、本実施形態にかかる冷温庫の全体斜視図を示し、図２は、図１におけるＸ−Ｘ断面図であって、該冷温庫の縦断面図を示し、図３は、冷温庫を構成する本体の半断面正面図を示し、図４は、本実施形態にかかる冷温庫に採用される受皿の全体斜視図を示している。
【００１９】
本実施形態にかかる冷温庫は、室内や自動車の車内等の種々の場所に据え付け可能なポータブル式の冷温庫であり、図１乃至図３に示す如く、飲料や食品等（以下、収容物という）を収容する前面が開口した収容室Ｒを形成した本体１と、前記収容室Ｒの開口を開閉すべく、本体１に枢着された扉体２とで構成されている。また、該冷温庫は、収容室Ｒを形成する壁部（後述する上壁面１１４ａ）を伝って流れ落ちる結露水を受ける受皿４と、前記収容室Ｒを上下に二分する棚板５とを更に備えている。
【００２０】
前記本体１は、当該冷温庫の外形を構成するカバー１０と、前記収容室Ｒを形成する壁体１１と、前記収容室Ｒを冷却、及び加熱する熱交換手段３と、該冷温庫の温度制御等を行う制御基板（図示しない）とを備えている。
【００２１】
前記カバー１０は、一面（前面）が開口した箱状に形成されており、側面部、天面部、背面部がフラットに形成されている。該カバー１０は、背面部に後述する電動ファン１２０で強制換気を行うための換気窓１００が形成され、側面部には熱交換手段３から放出される熱を自然排出させる換気用スリット１０１が形成されている。
【００２２】
前記壁体１１は、一面（前面）が開口した箱状に形成されており、該開口を前記カバー１０の開口に対応させた状態で前記カバー１０内に収容されている。具体的に説明すると、該壁体１１は、一対の側壁部１１０ａ，１１０ａと、該側壁部１１０ａ，１１０ａの上端同士を接続する天井部１１０ｂと、側端部１１０ａ，１１０ａの下端同士を接続する底板部１１０ｃと、これらで形成された一端開口（前記前面側の開口とは反対側の開口）を閉塞した奥壁部１１０ｄとで構成されている。すなわち、収容室Ｒは、一対の側壁部１１０ａ，１１０ａ、天井部１１０ｂ、底板部１１０ｃ、奥壁部１１０ｄによって形成され（画され）ており、前記一対の側壁部１１０ａ，１１０ａ、及び奥壁部１１０ｄが、収容室Ｒを画する壁部を構成し、前記奥壁部１１０ｄが、前記壁部の一部を構成している。なお、壁体１１とカバー１０との間には、断熱材Ｆが介装されている。
【００２３】
前記一対の側壁部１１０ａ，１１０ａは、略平板状に形成されており、棚板５を嵌め込む棚取付用溝１１１が他端（前面の開口側）から一端（奥壁部１１０ｄ側）に向けて形成されている。また、該一対の側壁部１１０ａ，１１０ａは、前記棚取付用溝１１１の一端よりも奥側（奥壁部１１ｄ側）に、受皿４を支持するための支持凸条１１２が形成されている。前記天井部１１０ｂ、及び底板部１１０ｃは、略平板状に形成されており、互いに対向している。
【００２４】
前記奥壁部１１０ｄは、起立した下壁部１１３と、該下壁部１１３よりも収容室Ｒ内側に位置し、且つ下壁部１１３の上方側に位置する起立した上壁部１１４と、下壁部１１３の上端から延出し、上壁部１１４の下端に接続された接続壁部１１５とで構成されている。前記上壁部１１４、及び下壁部１１３は、起立した略平面状の壁面（以下、上壁部１１４の壁面を上壁面１１４ａといい、下壁部１１３の壁面を下壁面１１３ａという）を形成するとともに、前記接続壁部１１５は、下方に向く（底板部１１０ｃに対向する）面１１５ａ（以下、接続面という）を形成している。
【００２５】
前記接続面１１５ａは、該接続面１１５ａに付着した（上壁部１１４の上壁面１１４ａを伝って該接続面１１５ａに到達した）結露水が、下壁部１１３側に流れる（流動する）のを阻止し、且つ該結露水を前記受皿４へと誘導するように構成されている。
【００２６】
具体的には、前記接続面１１５ａの少なくとも一部（接続面１１５ａにおける下壁部１１３側の一部）が、下壁部１１３側から上壁部１１４側に向けて先下りに傾斜した平面状の傾斜面１１６ａで構成され、該傾斜面１１６ａにおける上壁部１１４側の端縁で、接続壁部１１５の延出する方向と交差（本実施形態においては直交）方向に延びる稜線１１６が構成されている。すなわち、上壁部１１４側の接続面１１５ａの一部と、下壁部１１３側の接続面１１５ａの一部（前記傾斜面１１６ａ）とが接続されて前記稜線１１６が形成されている。
【００２７】
また、前記稜線１１６を境界にした上壁部１１４側の接続面１１５ａの一部は、上壁部１１４側から下壁部１１３側（稜線１１６）に向けて先下りに傾斜した平面状の誘導面１１６ｂで構成されている。したがって、前記稜線１１６を境界にして形成された傾斜面１１６ａ、及び誘導面１１６ｂ（前記接続面１１５ａの一部）は、下方に向いて（受皿４に向けて）凸状をなす屈曲面を形成している。
【００２８】
該壁体１１は、上壁部１１４が、下壁部１１３よりも収容室Ｒ側に位置して形成されることで、前記カバー１０の背面部と上壁部１１４との間に、前記熱交換手段３を収容する空間を形成している。
【００２９】
本実施形態において、前記熱交換手段３には、ペルチェ素子が採用されている。該ペルチェ素子３は、Ｐ型の熱電半導体とＮ型の熱電半導体とを銅電極で接合し、Ｎ型の熱電半導体側から直流電流を流すことで、前記銅電極との接合面とは反対側の面に熱が運ばれ、前記接合面から吸熱する一方で、前記反対側の面から放熱し、Ｐ型の熱電半導体側から直流電流を流すことで、前記反対側の面から接合面に向けて熱が運ばれ、前記反対側の面から吸熱する一方で、該接合面から放熱するように構成されたものである。
【００３０】
前記ペルチェ素子３は、上壁部１１４の背面側（前記上壁部１１４と前記カバー１０の背面部との間）に内装されており、上壁部１１４の背面に略当接状態で設けられている。また、本実施形態においては、ペルチェ素子３の熱効率を考慮して、ペルチェ素子３の背後、すなわち、ペルチェ素子３とカバー１０との間に電動ファン１２０が設けられている。これにより、前記ペルチェ素子３から放出された不要な熱を前記換気窓１００を介して外部に強制的に排出できるようになっている。
【００３１】
前記制御基板は、前記ペルチェ素子３による冷却、及び加熱を切り替え可能に構成されており、収容室Ｒ内の温度が冷却時において０℃〜２℃程度に、加熱時において６０℃〜７０℃程度になるように温度制御するように構成されている。なお、該冷温庫は、二電源方式が採用されており、供給電力をＡＣ／ＤＣに切り替え可能に構成されている。
【００３２】
前記扉体２は、収容室Ｒの開口を閉じた状態で、収容室Ｒ内を略気密に維持できるように構成されている。具体的に説明すると、扉体２は、本体１の開口端面に対応した領域にパッキン材（図示しない）が設けられており、前記本体１（収容室Ｒ）の開口を閉じた状態で、パッキン材を介して本体１の開口端面と当該扉体２とが密着状態となって収容室Ｒ内が気密に保持され、収容室Ｒ内の冷気、又は熱気が外部に漏れるのを防止できるようになっている。
【００３３】
前記受皿４は、本体１に対して着脱自在に構成されており、図４に示す如く、底部４０と、該底部４０の外周縁部から延出した枠部４１とで構成されている。前記底部４０は、平面視略長方形の板状に形成されており、長手方向の長さが、略側壁部１１０ａ，１１０ａ間の間隔よりやや短く、短手方向の長さが、前記接続壁部１１５の延出方向の長さよりも長く設定されている。これにより、受皿４（底部４０）の短手方向の一端を前記下壁部１１３（下壁面１１３ａ）に略当接させた状態で、他端側が上壁部１１４の下端よりも収容室Ｒ内側に存在するようになっており、底部４０（厳密には後述する受水領域Ａ）が、上壁部１１４の下端部、及び前記接続面１１５ａの全面に対向できるようになっている。
【００３４】
前記枠部４１は、所定の高さに設定されており、前記底部４０の長手方向の両端縁部から延出する枠部４１（枠部４１の一部分）には、前記壁体１１の側壁部１１０ａ，１１０ａに形成された支持凸条１１２に支持される被支持部４２が延設されている。該受皿４は、支持凸条１１２の延設方向にスライドさせることで、当該冷温庫から取り外すことができ、溜まった結露水を廃棄できるようになっている。
【００３５】
該受皿４は、前記底部４０、及び枠部４１によって、結露水を受け止めて貯留する前記受水領域Ａが形成されている。該受皿４は、前記底部４０に前記受水領域Ａを仕切る区画壁４３，４３，４３が延設されており、本実施形態においては、区画壁４３，４３，４３が底部４０の長手方向に間隔を有して三つ設けられ、前記受水領域Ａが四つの分割受水領域Ａ１，Ａ２，Ａ３，Ａ４に区画されている。各区画壁４３，４３，４３には、隣接する分割受水領域Ａ１，Ａ２，Ａ３，Ａ４同士を連通させる連通部４４が形成されている。該連通部４４は、区画壁４３，４３，４３に対して上下方向（延出方向）に掘り下げられたスリットにより構成されており、本実施形態において、前記連通部４４を境にして区画壁４３，４３，４３が二分された態様となっている。
【００３６】
図２及び図３に戻り、前記棚板５は、格子状に形成されており、前記壁体１１の棚取付用溝１１１に両端部を嵌め込むことで、前記受皿４と前後方向に並んで取り付けられるように構成されている。該棚板５は、着脱可能になっており、収容室Ｒに大きな収容物を収容する際に、収容室Ｒから取り外すように構成されている。
【００３７】
本実施形態にかかる冷温庫は、以上の構成からなり、次に該冷温庫の作用について説明する。なお、該冷温庫における電気的な作用等の説明は割愛し、収容室Ｒの冷却、及び該冷却に伴って前記上壁面１１４ａに付着した結露水の挙動についてのみ説明する。
【００３８】
まず、ペルチェ素子３を駆動して熱交換を行われ、上壁部１１４に冷気が伝達され、該冷気が収容室Ｒ内におけて上方の領域から下方の領域に流れることになる。これにより、冷気が収容室Ｒ内で効率よく循環することになり、収容室Ｒ内（収容した収容物（図示しない））が効率よく冷却されることになる。
【００３９】
このように、上壁部１１４を介して収容室Ｒを冷却するに際し、収容室Ｒ内と上壁部１１４との間に温度差が生じ、上壁面１１４ａに結露が生じる。そうすると、上壁部１１４ａに水が付着することになるが、該上壁面１１４ａ（上壁部１１４）は起立しているので、当該結露水は重力の作用により、上壁面１１４ａを伝って接続面１１５ａ側に流れることになる。そして、該結露水は、接続面１１５ａに到達し、接続面１１５ａ（上壁部１１４の下端）から下方に落下するか、或いは、接続面１１５ａを伝って流れることになる。
【００４０】
接続面１１５ａから直接落下した結露水は、上壁部１１４の下端、及び接続面１１５ａに対向して配設された受皿４によって受け止められ、底板部１１０ｃ側への落下が阻止される。そして、受皿４に受け止められた結露水は、前記連通部４４を介して各分割受水領域Ａ１，Ａ２，Ａ３，Ａ４に均等に流れることになる。
【００４１】
そして、上壁面１１４ａから接続面１１５ａに流れた結露水は、上壁部１１４側の誘導面１１６ｂの傾斜によって、前記稜線１１６に向けて流れることになる。そうすると、前記接続面１１５ａに形成された稜線１１６が下壁部１１３側よりも下方に位置するので、上壁部１１４側の接続面１１５ａ（誘導面１１６ｂ）を伝う結露水は、稜線１１６まで到達し、該稜線１１６よりも下流側（下壁部１１３側）に流れるのが阻止されることになる。
【００４２】
そして、前記稜線１１６、又は該稜線１１６近傍に到達した結露水は、稜線１１６から下方に向けて落下することになる。そうすると、該稜線１１６が受皿４に対向する接続面１１５ａに形成されているので、稜線１１６近傍から落下した結露水についても受皿４によって受け止められ、結露水の底板部１１０ｃ側への落下が防止されることになる。そして、受皿４に受け止められた結露水は、前記連通部４４を介して各分割受水領域Ａ１，Ａ２，Ａ３，Ａ４に均等に流れることになる。
【００４３】
また、下壁部１１３側の傾斜面１１６ａは、稜線１１６に向けて先下りに傾斜しているので、仮に下壁部１１３側の接続面１１５ａ（傾斜面１１６ａ）に結露水が付着したとしても、当該傾斜面１１６ａの傾斜により、該結露水が稜線１１６に向けて流れ、稜線１１６、又は該稜線１１６近傍から受皿４に落下することになる。なお、下壁部１１３、及び接続壁部１１５は、熱交換手段３が隣接していないため、上壁部１１４（上壁面１１４ａ）の如き収容室Ｒ内との温度差が大きくなく、下壁部１１３、及び接続壁部１１５が結露して結露水が付着する確率は非常に低く、下壁部１１３側の接続面１１５ｂには殆ど結露水が付着することがない。
【００４４】
そして、受皿４に溜まった結露水を廃棄するには、棚板５を取り外した後に受皿４を引き出して廃棄することになる。この際、受皿４が傾いた状態で引き出される場合があるが、結露水を受ける受水領域Ａが、区画壁４３，４３，４３によって仕切られて四つの分割受水領域Ａ１，Ａ２，Ａ３，Ａ４が形成されているので、枠部４１を所定の高さに設定したことを前提に、区画壁４３，４３，４３を設けない場合に比して結露水が零れるまでの受皿４の限界傾き量が大きくなる。これにより、溜まった結露水を廃棄すべく受皿を取り外す際における結露水の零れを極力抑えることができる。なお、区画壁４３，４３，４３に連通部４４が形成されているので、各分割受水領域Ａ１，Ａ２，Ａ３，Ａ４内の結露水が、隣接する分割受水領域Ａ１，Ａ２，Ａ３，Ａ４に流れ込むことがあるが、前記連通部４４がスリットにより構成されているので、受皿４の取り外しを行う作業中（短期）に、急激に隣接する分割受水領域Ａ１，Ａ２，Ａ３，Ａ４に流れ込んで何れかの分割受水領域Ａ１，Ａ２，Ａ３，Ａ４から結露水が溢れることはない。
【００４５】
以上のように、本実施形態にかかる冷温庫によれば、収容室Ｒの壁部の一部（奥壁部１１ｄ）を下壁部１１３、上壁部１１４、及び接続壁部１１５で構成し、上壁部１１４の背面側に熱交換手段３としてのペルチェ素子を配設するようにしたので、収容室Ｒ内の冷気の循環効率を高めて冷却効率を高くすることができる。
【００４６】
さらに、上壁部１１４の下端、及び接続面１１５ａと対向するように、受皿４を配設するようにしたので、上壁部１１４（上壁面１１４ａ）に付着した結露水を受け止めることができ、収容室Ｒ内が不衛生になるのを防止することができる。
【００４７】
さらに、接続面１１５ａの一部（下壁部１１３側の一部）に傾斜面１１６ａを形成し、該傾斜面１１６ａの上壁部１１４側の端縁で稜線１１６を構成するようにしたので、上壁部１１４から伝ってくる結露水を接続面１１５ａで下壁部１１３側に流動するのを阻止し、稜線１１６、又は稜線１１６近傍から結露水を受皿４に誘導することができる。これにより、接続面１１５ａにまで伝ってきた結露水までも受皿４で受け止めることができる。
【００４８】
また、受皿４に連通部４４の形成された区画壁４３を設け、受水領域Ａを複数の分割受水領域Ａ１，Ａ２，Ａ３，Ａ４で構成するようにしたので、受け止めた結露水を各分割受水領域Ａ１，Ａ２，Ａ３，Ａ４に対して均等にした上で、受皿４を取り外す際に該結露水が零れるのを極力抑えることができる。
【００４９】
また、前記熱交換手段にペルチェ素子３を採用するようにしたので、収容室Ｒに対して冷却、及び加熱を行うことができ、使用者の要求する条件に対応した使用が可能である。
【００５０】
また、カバー１０の背面部、側面部等をフラットに構成したので、外形に突出するような部位が形成されず、室内や自動車の車内等の種々の場所に設置することができる。
【００５１】
なお、本発明の冷温庫は、上記実施形態に限定されるものではなく、本発明の要旨を逸脱しない範囲内において種々変更を加え得ることは勿論である。
【００５２】
上記実施形態において、接続面１１５ａを付着した結露水が、下壁部１１３側に流れるのを阻止するとともに、該結露水を受皿４に誘導可能に接続面１１５ａを構成したが、これに限定されるものではなく、例えば、前記受皿４を上壁部１１３の下端、及び接続面１１５ａに対向して配設し、上壁面１１４ａから垂れ流れる結露水を受皿４で受けるようにするだけでもよい。
【００５３】
上記実施形態において、熱交換手段３にペルチェ素子３を採用したが、これに限定されるものではなく、例えば、コンプレッサー式の熱交換器等であってもよい。また、熱交換手段３は、収容室Ｒの冷却、及び加熱を切り替え可能なものに限定されるものではなく、収容室Ｒ内を冷却のみできるものであってもよい。また、上記実施形態において、電動ファン１２０をペルチェ素子３の背後に配置し、ペルチェ素子３の熱交換効率を向上させるようにしたが、これに限定されるものではなく、電動ファン１２０は、必要に応じて設ければよい。
【００５４】
上記実施形態において、前記接続面１１５ａの一部に、稜線１１６を境界にして上壁部１１４側、及び下壁部１１３側に一対の傾斜面１１６ａ，１１６ｂを形成するようにしたが、これに限定されるものではなく、例えば、図５に示す如く、接続面１１５ａにおける下壁部１１３側の一部（半分）の領域を、上壁部１１４側に先下りに傾斜した平面状の傾斜面３００で構成し、該傾斜面３００における上壁部１１４側の端縁で稜線１１６を形成するように、該稜線１１６を境界とする接続面１１５ａにおける上壁部１１４側の一部の領域を略垂直に起立した平面状の誘導面３０１で構成するようにしてもよい。
【００５５】
このようにすれば、前記誘導面３０１の存在により接続面１１５ａを伝う結露水は、下壁部１１３側への流動が阻止され、誘導面３０１を伝って前記稜線１１６、又は稜線１１６近傍から受皿４に向けて垂れ落ちることになり、結露水が垂れ落ちて収容物等を濡らして収容室Ｒが不衛生な状態なるのを防止することができる。また、仮に傾斜面３００に結露水が付着しても、該傾斜面３００が稜線１１６に向けて先下りに傾斜しているので、当該結露水は、その傾斜によって稜線１１６に向けて誘導され、稜線１１６又は稜線１１６近傍から受皿４に垂れ落ちることになり、収容室Ｒ内が結露水で不衛生な状態になるのを防止することができる。
【００５６】
また、図６に示す如く、前記接続面１１５ａの全面を対象に、下壁部１１３側から上壁部側１１４に向けて先下りに傾斜した傾斜面３０２で構成し、該傾斜面３０２の上壁部１１４側の端縁、すなわち、上壁面１１４ａと接続面１１５ａ（傾斜面３０２）とが接続された接続線を稜線１１６として構成するようにしてもよい。このようにすれば、上壁面１１４ａを伝って流れ落ちる結露水は、接続面１１５ａには流れずに、前記稜線１１６、又は稜線１１６近傍から受皿４に向けて垂れ落ちることになり、収容室Ｒ内が結露水で不衛生な状態になるのを防止することができる。
【００５７】
さらに、図７に示す如く、前記接続面１１５ａの下壁部１１３側の一部（半分の領域）を、下壁部１１３側から上壁部１１４側に向けて先下りに傾斜した平面状の傾斜面３０３で構成し、該傾斜面３０３の上壁部１１４側の端縁で稜線１１６を構成するように、接続面１１５ａの上壁部１１４側の半分の領域を上壁面１１４ａに対して略直角（略水平）をなす平面状の誘導面３０４で構成するようにしてもよい。このようにすれば、上壁部１１４側の接続面１１５ａを伝ってくる結露水が稜線１１６に到達すると、下壁部１１３側の接続面１１５ａが下壁部１１３に向けて先上がりしているので、該稜線１１６よりも下壁部１１３側に流れることなく、該稜線１１６、又は稜線１１６近傍から受皿４に向けて垂れ落ちることになり、収容室Ｒ内が結露水で不衛生な状態になるのを防止することができる。
【００５８】
さらに、図８に示す如く、前記接続面１１５ａの下壁部１１３側の一部（半分の領域）を、下壁部１１３側から上壁部１１４側に向けて先下りに傾斜した平面状の傾斜面３０５で構成し、該傾斜面３０５の上壁部１１４側の端縁で稜線１１６を構成するように、接続面１１５ａの上壁部１１４側の半分の領域を上壁部１１４側から下壁部１１３側に向けて先下り傾斜した誘導面３０６で構成するようにしてもよい。このようにすれば、上壁部１１４側の接続面１１５ａ（誘導面３０６）を伝ってくる（誘導されてくる）結露水が稜線１１６に到達すると、下壁部１１３側の接続面１１５ａ（傾斜面３０５）が下壁部１１３に向けて先上がりしているので、該稜線１１６よりも下壁部１１３側に流れることなく、該稜線１１６、又は稜線１１６近傍から受皿４に向けて垂れ落ちることになり、収容室Ｒ内が結露水で不衛生な状態になるのを防止することができる。
【００５９】
上記実施形態において、傾斜面１１６ａ，３００，３０２，３０３，３０５を平面状に形成したが、これに限定されるものではなく、例えば、前記傾斜面を、下方に向いて凸状、又は凹状をなすように、下壁部１１３側から上壁部側１１４（稜線１１６）に向けて先下りした円弧面等の曲面で構成するようにしてもよい。このようにすれば、傾斜面１１６ａにおける上壁部１１４側よりも下壁部１１３側の方が上方に位置するので、結露水が下壁部１１３側に流動するのを防止することができる。
【００６０】
また、上記実施形態において、誘導面１１６ｂ，３０１，３０４，３０６についても平面状に形成したが、これに限定されるものではなく、例えば、前記誘導面を、下方に向いて凸状、又は凹状をなすように、上壁部１１４側から下壁部側１１３（稜線１１６）に向けて先下りした円弧面等の曲面で構成するようにしてもよい。したがって、前記稜線１１６は、平面と平面との接続線に限定されるものではなく、平面と曲面との接続線、及び曲面と曲面との接続線であってもよい。このようにしても、稜線１１６、又は稜線１１６近傍から結露水を受皿４に向けて垂れ落ちさせることができる。
【００６１】
また、結露水が下壁部１１３側に流れるのを阻止して受皿４に誘導するには、例えば、図９に示す如く、接続面１１５ａを下壁面１１３ａ、又は上壁面１１４ａに対して略直角をなす平面で構成し、該接続面１１５ａの延出する方向に対して交差する方向（好ましくは略直角方向）に延びるように、前記接続面１１５ａに凸条３０７を突設するようにしてもよい。このようにしても上壁面１１４ａを伝って流れてくる結露水は、凸条３０７の存在によって、下壁面１１３ａ側に流れることが阻止され、該凸条３０７を伝って先端から受皿４に向けて垂れ落ちることになり、収容室Ｒ内が結露水で不衛生な状態になるのを防止することができる。
【００６２】
上記実施形態において、接続面１１５ａの少なくとも一部に傾斜面１１６ａで構成し、該傾斜面１１６ａにおける上壁部１１４側の端縁で稜線１１６を構成して、下壁部１１３側への結露水の流動を阻止して該結露水を受皿４に誘導するようにしたが、これに限定されるものではなく、例えば、図１０に示す如く、接続面１１５ａを平面状に形成するとともに、受皿４の底部４０にスクレーパー３０８を延設し、当該受皿４を取り付けた状態でスクレーパー３０８が接続面１１５ａに密接状態になる構成を採用してもよい。このようにすれば、上壁面１１４ａから流れてきた結露水が、接続面１１５ａに到達した際に、該接続面１１５ａに密接状態にあるスクレーパー３０８に沿って受皿４の受水領域Ａに誘導され、当該受皿４で結露水を受け止めることができる。ただし、接続面１１５ａにスクレーパー３０８を確実に密接させるには、当該スクレーパー３０８をゴムや軟質樹脂等の弾性材料で形成することが好ましい。
【００６３】
上記実施形態において、受皿４の受水領域Ａを区画壁４３，４３，４３で仕切るようにしたが、これに限定されるものではなく、例えば、前記底部４０と、該底部４０の外周縁部に延設された枠部４１とで構成するようにしても勿論よい。
【００６４】
上記実施形態において、奥壁部１１０ｄを上壁部１１４、下壁部１１３、及び接続壁部１１５で構成するようにしたが、これに限定されるものではなく、例えば、側壁部１１０ａを前記奥壁部１１０ｄと同様に上壁部、下壁部、及び接続壁部で構成し、該上壁部とカバー１０との間に熱交換手段３を内装するようにしてもよい。この場合においても、受皿４を上壁部の下端、及び接続壁部の接続面に対向させて配設することは勿論のことである。また、このようにしても、上記実施形態と同様に、接続壁部の接続面、又は受け皿の何れか一方が、接続面を伝う結露水の下壁部側への流動を阻止し、該結露水を受皿に誘導できるように構成することが好ましい。
【００６５】
また、収容室Ｒを形成する本体１の壁部（側壁部１１０ａ、奥壁部１１０ｄ）の全てを、上壁部、下壁部、及び接続壁部で構成し、各上壁部の背面側に熱交換手段を設けるようにしてもよい。この場合においては、受皿を接続壁部の接続面の形状に対応させた形状に設定し、上壁部の下端部、及び接続壁部の接続面に対向できるようにすることは勿論である。また、このようにしても、上記実施形態と同様に、接続壁部の接続面、又は受け皿の何れか一方が、接続面を伝う結露水の下壁部側への流動を阻止し、該結露水を受皿に誘導できるように構成することが好ましい。
【図面の簡単な説明】
【００６６】
【図１】本発明の一実施形態にかかる冷温庫の全体斜視図を示す。
【図２】図１におけるＸ−Ｘ断面図であって、同実施形態にかかる冷温庫の縦断面図を示す。
【図３】同実施形態にかかる冷温庫の本体の半断面図を示す。
【図４】同実施形態にかかる受皿の全体斜視図を示す。
【図５】他実施形態にかかる接続壁部、及び受皿を含む部分断面図を示す。
【図６】他実施形態にかかる接続壁部、及び受皿を含む部分断面図を示す。
【図７】他実施形態にかかる接続壁部、及び受皿を含む部分断面図を示す。
【図８】他実施形態にかかる接続壁部、及び受皿を含む部分断面図を示す。
【図９】他実施形態にかかる接続壁部、及び受皿を含む部分断面図を示す。
【図１０】他実施形態にかかる接続壁部、及び受皿を含む部分断面図を示す。
【符号の説明】
【００６７】
１…本体、２…扉体、３…熱交換手段（ペルチェ素子）、４…受皿、５…棚板、１０…カバー、１１…壁体、４０…底部、４１…枠部、４２…被支持部、４３…区画壁、４４…連通部、１００…換気窓、１０１…換気用スリット、１１０ａ…側壁部、１１０ｂ…天井部、１１０ｃ…底板部、１１０ｄ…奥壁部、１１１…棚取付用溝、１１２…支持凸条、１１３…下壁部、１１３ａ…下壁面、１１４…上壁部、１１４ａ…上壁面、１１５…接続壁部、１１５ａ…接続面、１１６…稜線、１１６ａ，３００，３０２，３０３，３０５…傾斜面、１１６ｂ，３０１，３０４，３０６…誘導面、１２０…電動ファン、３０７…凸条、３０８…スクレーパー、Ａ…受水領域、Ａ１，Ａ２，Ａ３，Ａ４…分割受水領域、Ｆ…断熱材、Ｒ…収容室
【図１】
2005180857.tif 000003
【図２】
2005180857.tif 000004
【図３】
2005180857.tif 000005
【図４】
2005180857.tif 000006
【図５】
2005180857.tif 000007
【図６】
2005180857.tif 000008
【図７】
2005180857.tif 000009
【図８】
2005180857.tif 000010
【図９】
2005180857.tif 000011
【図１０】
2005180857.tif 000012